【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
同期信号(SS)ブロックがスロットのセット内で送信されないことに基づいて、第1の復調基準信号(DMRS)のために使用される、スロットの前記セット内の送信リソースを決定するステップと、
ダウンリンク制御情報(DCI)および/またはグループコモン物理ダウンリンク制御チャネル(PDCCH)を介して、無線リソース制御(RRC)シグナリングを介して、またはシステム情報ブロードキャスト(SIB)メッセージを介して、前記SSブロックがスロットの前記セット内で送信されないとの表示を送信するステップと、
スロットの前記セット内の前記決定された送信リソースを使用して前記第1のDMRSを送信するステップと
を含む、方法。
【請求項２】
前記SSブロックが、1次同期信号(PSS)、物理ブロードキャストチャネル(PBCH)、および2次同期信号(SSS)のうちの少なくとも1つを含む、請求項1に記載の方法。
【請求項３】
スロットの前記セットが、前記SSブロックがその中で送信される物理リソースブロック(PRB)の第1のバンドル、および前記SSブロックがその中で送信されないPRBの第2のバンドルを含み、前記方法が、
第1のプリコーディング行列を使用して、前記SSブロックのうちのSSによってパンクチャリングされた前記第1のDMRS、およびPRBの前記第1のバンドル内の第1のデータを送信するステップと、
第2のプリコーディング行列を使用して、第2のDMRS、およびPRBの前記第2のバンドル内の第2のデータを送信するステップと
をさらに含む、請求項1に記載の方法。
【請求項４】
前記第1のDMRSに対する前記決定された送信リソースに基づいて、スロットの前記セット内のデータの送信において使用されるランクを決定するステップをさらに含む、請求項1に記載の方法。
【請求項５】
ワイヤレス通信のための方法であって、
ダウンリンク制御情報(DCI)および/またはグループコモン物理ダウンリンク制御チャネル(PDCCH)を介して、無線リソース制御(RRC)シグナリングを介して、またはシステム情報ブロードキャスト(SIB)メッセージを介して、同期信号(SS)ブロックがスロットのセット内で送信されないとの表示を受信するステップと、
前記受信した表示に基づいて前記SSブロックがスロットの前記セット内で送信されないと決定するステップと、
前記SSブロックがスロットのセット内で送信されないとの前記決定に基づいて、第1の復調基準信号(DMRS)のために使用される、スロットの前記セット内の送信リソースを決定するステップと、
前記送信リソース内の前記第1のDMRSに基づいてスロットの前記セット内のシグナリングを処理するステップと
を含む、方法。
【請求項６】
前記SSブロックが、1次同期信号(PSS)、物理ブロードキャストチャネル(PBCH)、および2次同期信号(SSS)のうちの少なくとも1つを含む、請求項5に記載の方法。
【請求項７】
スロットの前記セットが、前記SSブロックがその中で送信される物理リソースブロック(PRB)の第1のバンドル、および前記SSブロックがその中で送信されないPRBの第2のバンドルを含み、前記方法が、
第1のプリコーディング行列を使用して、前記SSブロックのうちのSSによってパンクチャリングされた前記第1のDMRS、およびPRBの前記第1のバンドル内の第1のデータを処理するステップと、
第2のプリコーディング行列を使用して、第2のDMRS、およびPRBの前記第2のバンドル内の第2のデータを処理するステップと
をさらに含む、請求項5に記載の方法。
【請求項８】
スロットの前記セットが、前記SSブロックがその中で送信される物理リソースブロック(PRB)の第1のバンドル、および前記SSブロックがその中で送信されないPRBの第2のバンドルを含み、前記方法が、
混合バンドルが拒否されるとの表示を取得するステップであって、前記混合バンドルは、いくつかの物理リソースブロック(PRB)がSSを決して搬送せず、いくつかのPRBがSSを搬送したりしなかったりするバンドルである、ステップと、
前記表示に基づいて、
前記第1のDMRSおよびPRBの前記第1のバンドル内の第1のデータ、ならびに
第2のDMRSおよびPRBの前記第2のバンドル内の第2のデータ
を処理しないと決定するステップと
をさらに含む、請求項5に記載の方法。
【請求項９】
前記第1のDMRSに対する前記決定された送信リソースに基づいて、スロットの前記セット内の送信において使用されるランクを決定するステップをさらに含む、請求項5に記載の方法。
【請求項１０】
ワイヤレス通信のための装置であって、
同期信号(SS)ブロックがスロットのセット内で送信されないことに基づいて、第1の復調基準信号(DMRS)のために使用される、スロットの前記セット内の送信リソースを決定するための手段と、
ダウンリンク制御情報(DCI)および/またはグループコモン物理ダウンリンク制御チャネル(PDCCH)を介して、無線リソース制御(RRC)シグナリングを介して、またはシステム情報ブロードキャスト(SIB)メッセージを介して、前記SSブロックがスロットの前記セット内で送信されないとの表示を送信するための手段と、
スロットの前記セット内の前記決定された送信リソースを使用して前記第1のDMRSを送信するための手段と
を備える、装置。
【請求項１１】
スロットの前記セットが、前記SSブロックがその中で送信される物理リソースブロック(PRB)の第1のバンドル、および前記SSブロックがその中で送信されないPRBの第2のバンドルを含み、前記装置が、
第1のプリコーディング行列を使用して、前記SSブロックのうちのSSによってパンクチャリングされた前記第1のDMRS、およびPRBの前記第1のバンドル内の第1のデータを送信するための手段と、
第2のプリコーディング行列を使用して、第2のDMRS、およびPRBの前記第2のバンドル内の第2のデータを送信するための手段と
をさらに備える、請求項10に記載の装置。
【請求項１２】
ワイヤレス通信のための装置であって、
ダウンリンク制御情報(DCI)および/またはグループコモン物理ダウンリンク制御チャネル(PDCCH)を介して、無線リソース制御(RRC)シグナリングを介して、またはシステム情報ブロードキャスト(SIB)メッセージを介して、同期信号(SS)ブロックがスロットのセット内で送信されないとの表示を受信するための手段と、
前記受信した表示に基づいて前記SSブロックがスロットの前記セット内で送信されないと決定するための手段と、
前記SSブロックがスロットのセット内で送信されないとの前記決定に基づいて、第1の復調基準信号(DMRS)のために使用される、スロットの前記セット内の送信リソースを決定するための手段と、
前記送信リソース内の前記第1のDMRSに基づいてスロットの前記セット内のシグナリングを処理するための手段と
を備える、装置。
【請求項１３】
スロットの前記セットが、前記SSブロックがその中で送信される物理リソースブロック(PRB)の第1のバンドル、および前記SSブロックがその中で送信されないPRBの第2のバンドルを含み、前記装置が、
第1のプリコーディング行列を使用して、前記SSブロックのうちのSSによってパンクチャリングされた前記第1のDMRS、およびPRBの前記第1のバンドル内の第1のデータを処理するための手段と、
第2のプリコーディング行列を使用して、第2のDMRS、およびPRBの前記第2のバンドル内の第2のデータを処理するための手段と
をさらに備える、請求項12に記載の装置。
【請求項１４】
コンピュータに請求項1乃至4または請求項5乃至9のいずれか1項に記載の方法を実行させるためのプログラムコードを記憶したコンピュータ可読記録媒体。